(57)【特許請求の範囲】
【請求項１】
本体筐体に開口する吸込口及び吹出口と、前記本体筐体内に配して前記吸込口と前記吹出口とを連通させるとともに仕切板により分割される複数の分割通路を有した送風通路と、前記送風通路内の前記分割通路よりも上流に配される送風ファンと、前記分割通路を覆って内面により前記送風通路の側壁を形成する着脱可能な内カバーと、前記内カバーを覆って前記本体筐体の外面を形成する着脱可能な外カバーとを備え、前記内カバーが前記仕切板に沿って形成されるマーキング部を外面に有することを特徴とする送風装置。
【請求項２】
前記吸込口が前記本体筐体の下部に設けられるとともに前記吹出口が前記吸込口よりも上方の前記本体筐体前面に設けられ、前記仕切板の下部が上下方向に延びるとともに上部が前記吹出口に向かって湾曲することを特徴とする請求項１に記載の送風装置。
【請求項３】
前記仕切板に嵌合する嵌合溝を前記内カバーの内面に設けるとともに、前記嵌合溝の背面が前記内カバーの外面に突出して前記マーキング部が形成されることを特徴とする請求項１または請求項２に記載の送風装置。
【請求項４】
前記マーキング部が前記嵌合溝の側壁を延設して前記嵌合溝の背面から突出するリブを有することを特徴とする請求項３に記載の送風装置。
【請求項５】
前記外カバーが外側に凸の曲面に形成されるとともに内面から突出して前記仕切板に交差する方向に延びる補強リブを有し、前記外カバーの装着時に前記補強リブが前記マーキング部に当接することを特徴とする請求項３または請求項４に記載の送風装置。
【請求項６】
前記分割通路が前記内カバーによって上流に対して下流の流路面積が絞られ、前記分割通路の上流部に面した前記マーキング部が前記嵌合溝の両側壁を延設して前記内カバーの外面に形成される溝部を有することを特徴とする請求項３〜請求項５のいずれかに記載の送風装置。
【請求項７】
前記送風ファンよりも下流側の前記送風通路に向けてイオンを放出するイオン発生装置を備えたことを特徴とする請求項１〜請求項６のいずれかに記載の送風装置。
【発明の詳細な説明】
【技術分野】
【０００１】
本発明は、本体筐体内に送風通路を備えた送風装置に関する。
【背景技術】
【０００２】
従来の送風装置は特許文献１に開示されている。この送風装置は床面上に設置される本体筐体を備え、本体筐体に吸込口及び吹出口を開口する。本体筐体内には吸込口と吹出口とを連通させる送風通路が形成され、送風通路内には送風ファンが配される。吸込口には着脱可能なフィルターが配され、吹出口には風向を可変する複数の風向板が設けられる。
【０００３】
上記構成の送風装置において、送風ファンの駆動によって室内の空気が吸込口から送風通路内に流入する。送風通路を流通する空気は吹出口から風向板の向きに応じた方向に送出される。これにより、使用者に向けて送風を行うとともに、室内の空気を循環させることができる。
【先行技術文献】
【特許文献】
【０００４】
【特許文献１】特開平２−１８５６９６号公報（第２頁−第３頁、第２図）
【発明の概要】
【発明が解決しようとする課題】
【０００５】
しかしながら、上記従来の送風装置によると、吸込口に配したフィルターを通過した細かい塵埃が送風通路内に堆積し、送風効率が低下する問題があった。
【０００６】
本発明は、送風効率の低下を防止できる送風装置を提供することを目的とする。
【課題を解決するための手段】
【０００７】
上記目的を達成するために本発明は、本体筐体に開口する吸込口及び吹出口と、前記本体筐体内に配して前記吸込口と前記吹出口とを連通させるとともに仕切板により分割される複数の分割通路を有した送風通路と、前記送風通路内の前記分割通路よりも上流に配される送風ファンと、前記分割通路を覆って内面により前記送風通路の側壁を形成する着脱可能な内カバーと、前記内カバーを覆って前記本体筐体の外面を形成する着脱可能な外カバーとを備え、前記内カバーが前記仕切板に沿って形成されるマーキング部を外面に有することを特徴としている。
【０００８】
この構成によると、送風ファンが駆動されると室内の空気が吸込口から送風通路に流入する。送風通路に流入した空気は送風ファンの下流で仕切板により分割された複数の分割通路を流通し、吹出口から送出される。外カバー及び内カバーが取り外されると、分割通路を含む送風通路内を清掃することができる。内カバーの外面には仕切板に沿って形成されるマーキング部が設けられ、マーキング部を仕切板に重ねるように内カバーが装着される。
【０００９】
また本発明は、上記構成の送風装置において、前記吸込口が前記本体筐体の下部に設けられるとともに前記吹出口が前記吸込口よりも上方の前記本体筐体前面に設けられ、前記仕切板の下部が上下方向に延びるとともに上部が前記吹出口に向かって湾曲することを特徴としている。
【００１０】
この構成によると、本体筐体の下部に配された吸込口から送風通路に空気が流入する。送風通路に流入した空気は仕切板に沿って上方に流通し、前方に湾曲して吹出口から送出される。
【００１１】
また本発明は、上記構成の送風装置において、前記仕切板に嵌合する嵌合溝を前記内カバーの内面に設けるとともに、前記嵌合溝の背面が前記内カバーの外面に突出して前記マーキング部が形成されることを特徴としている。この構成によると、仕切板が嵌合溝に嵌合して内カバーが装着される。内カバーの外面には嵌合溝の背面が突出し、仕切板に沿ったマーキング部が形成される。
【００１２】
また本発明は、上記構成の送風装置において、前記マーキング部が前記嵌合溝の側壁を延設して前記嵌合溝の背面から突出するリブを有することを特徴としている。
【００１３】
また本発明は、上記構成の送風装置において、前記外カバーが外側に凸の曲面に形成されるとともに内面から突出して前記仕切板に交差する方向に延びる補強リブを有し、前記外カバーの装着時に前記補強リブが前記マーキング部に当接することを特徴としている。
【００１４】
この構成によると、本体筐体の外面を形成する外カバーが湾曲し、外カバーの内面に設けた補強リブが内カバーの外面に突出するマーキング部に当接する。これにより、外カバーの変形が防止される。
【００１５】
また本発明は、上記構成の送風装置において、前記分割通路が前記内カバーによって上流に対して下流の流路面積が絞られ、前記分割通路の上流部に面した前記マーキング部が前記嵌合溝の両側壁を延設して前記内カバーの外面に形成される溝部を有することを特徴としている。
【００１６】
この構成によると、分割通路の流路面積が内カバーによって下流側を狭められ、吹出口から送出される気流の風速が大きくなる。分割通路の上流部に面した内カバーの外面には嵌合溝の両側壁を延設して形成される溝部が凹設され、溝部によって仕切板に沿ったマーキング部が形成される。
【００１７】
また本発明は、上記構成の送風装置において、前記送風ファンよりも下流側の前記送風通路に向けてイオンを放出するイオン発生装置を備えたことを特徴としている。この構成によると、イオン発生装置の駆動によって送風通路内にイオンが放出され、吹出口からイオンを含む気流が送出される。
【発明の効果】
【００１８】
本発明によると、着脱可能な外カバーにより外面を形成した本体筐体の内部に仕切板で分割される分割通路を有した送風通路が設けられる。また、分割通路を覆う着脱可能な内カバーが仕切板に沿ったマーキング部を外面に有する。これにより、外カバー及び内カバーを取り外して分割通路を含む送風通路内の清掃を行うことができる。従って、送風装置の送風効率の低下を防止するとともに送出される気流を清潔に維持することができる。また、送風通路の清掃後にマーキング部を仕切板に重ねて内カバーを容易に装着することができ、送風装置の利便性を向上することができる。
【図面の簡単な説明】
【００１９】
【図１】本発明の実施形態の送風装置の斜視図
【図２】本発明の実施形態の送風装置の内部を示す側面図
【図３】本発明の実施形態の送風装置の内カバーを示す正面図
【図４】図３のＡ−Ａ断面図
【図５】図３のＢ−Ｂ断面図
【図６】本発明の実施形態の送風装置のイオン発生装置を示す斜視図
【発明を実施するための形態】
【００２０】
以下に本発明の実施形態を図面を参照して説明する。図１は一実施形態の送風装置の斜視図を示している。図中、白抜き矢印は空気の流通方向を示している。送風装置１は柱状をなす本体筐体２と、本体筐体２の下方に配置された台座部３とを備えている。
【００２１】
本体筐体２は上下に縦長に延びる柱状に形成されている。本体筐体２は底面が円形を成し、上下方向略中央部から上端にかけての部分が略直方体形状で形成されている。上部の略直方体形状の部分は横幅より前後の長さのほうが長く、左右両側面が外側に膨らむように湾曲している。
【００２２】
本体筐体２の上部の両側面は外側に凸の曲面の着脱可能な樹脂成形品の外装カバー２ａにより覆われる。本体筐体２の下部の一側面は吸込口４を開口した着脱可能な樹脂成形品の外装カバー２ｂで覆われる。外装カバー２ｂには吸込口４に面してフィルター（不図示）が設けられる。本体筐体２の上部正面には吹出口５が開口する。本体筐体２の上面には操作部６が設けられる。
【００２３】
台座部３は平面視円形を成し、上面に立設される本体筐体２を支持する。台座部３の周面には電源コード８が導出される。本体筐体２は下部に設けた不図示の変位モータを駆動すると、径方向中心に設けた上下方向に延びる回転軸線を中心に台座部３に対して水平面内で回転する。これにより、本体筐体２が所定の角度範囲で往復変位して首振り動作を行う。
【００２４】
図２は送風装置１の内部を示す側面図であり、本体筐体２から外装カバー２ａ、２ｂ及び後述する内カバー１０（図３参照）を取り外した状態を示している。本体筐体２の内部には上下方向に延びて吸込口４と吹出口５とを連通させる送風通路２０が設けられる。送風通路２０の内部であって本体筐体２の下部には送風ファン７が配置されている。
【００２５】
送風ファン７はシロッコファン等の遠心ファンにより構成され、吸気口（不図示）が吸込口４に面して配される。送風ファン７の排気口７ａは上方に向けて開口する。送風ファン７の駆動によって吸込口４から吸い込まれた空気が吹出口５に向かって流通する。送風ファン７をターボファンにより構成してもよく、軸流ファンにより構成してもよい。
【００２６】
送風通路２０は送風ファン７の下流で上方に向かって延びるとともに前方の吹出口５に向かって湾曲し、仕切板２１により分割された複数の分割通路２２を有している。本実施形態では５枚の仕切板２１により６本の分割通路２２が設けられる。各分割通路２２は入口部２３において送風装置１の前後方向に一列に並び、出口部２４において上下方向に一列に並ぶ。
【００２７】
仕切板２１は分割通路２２の上下の壁面を形成し、吹出口５には仕切板２１及び送風通路２０の下壁２６を延長するように６枚の風向板２５が配される。風向板２５は上流端を本体筐体２に軸支され、側面に突設した突起部（不図示）が本体筐体２に設けたガイド溝２７に嵌合する。突起部がガイド溝２７内を変位して風向板２５の向きが可変される。
【００２８】
図３は分割通路２２を覆う内カバー１０の正面図を示している。内カバー１０は樹脂成形品により形成され、着脱可能に配される。内カバー１０によって分割通路２２の側壁が形成され、分割通路２２の入口部２３に対して出口部２４の流路面積が徐々に絞られる。これにより、吹出口５から送出される気流の風速を大きくすることができ、室内に気流が行き届く。
【００２９】
内カバー１０の外面には装着時に視認されるマーキング部１１が仕切板２１に沿って形成される。図４、図５はそれぞれ図３のＡ−Ａ断面図及びＢ−Ｂ断面図を示している。図４は分割通路２２の上流側の入口部２３（図２参照）近傍を示し、図５は入口部２３よりも下流側を示している。
【００３０】
内カバー１０の内面により分割通路２２の流路幅が決められ、分割通路２２の下流側の左右方向の流路幅Ｗ２は上流側の流路幅Ｗ１よりも小さく形成される。これにより、分割通路２２の上流に対して下流の流路面積が絞られる。
【００３１】
内カバー１０の内面には仕切板２１に嵌合する嵌合溝１０ａが形成される。流路幅Ｗ１の大きい上流部では嵌合溝１０ａの両側壁が延設され、内カバー１０の外面に溝部１０ｂが凹設される。溝部１０ｂにより仕切板２１に沿ったマーキング部１１が形成される。
【００３２】
流路幅Ｗ２の小さい下流部では嵌合溝１０ａの背面が内カバー１０の外面に突出する。嵌合溝１０ａの背面により、仕切板２１に沿ったマーキング部１１が形成される。また、下流部では嵌合溝１０ａの一方の側壁を延設したリブ１０ｃが嵌合溝１０ａの背面に突出する。リブ１０ｃによってマーキング部１１をより明瞭に視認することができる。
【００３３】
外カバー２ａは外側に凸の曲面に形成されるため、内面には補強のための補強リブ２ｃが仕切板２１に交差する方向に延びて設けられる。補強リブ２ｃは外カバー２ａの装着状態で内カバー１０のリブ１０ｃに当接する。これにより、外カバー２ａが外側から加圧された際に、外カバー２ａの変形を防止することができる。尚、リブ１０ｃを省いて嵌合溝１０ａの背面に補強リブ２ｃが当接してもよい。
【００３４】
図２において、送風ファン７と分割通路２２との間にはイオンを発生するイオン発生装置３０が配置されている。イオン発生装置３０が送風ファン７の下流に配置されるため、送風ファン７との衝突によるイオンの消滅を防止することができる。
【００３５】
図６はイオン発生装置３０の外観斜視図を示している。イオン発生装置３０はハウジング３１内に放電電極やその他電子部品を配してパッケージ化されている。イオン発生装置３０は回路部（不図示）、正イオン発生部３２Ｐ及び負イオン発生部３２Ｎを備えている。回路部は外部から電力供給を受けて高圧の電気パルスを生成する高圧電気発生回路を備えている。
【００３６】
正イオン発生部３２Ｐは正放電電極３３Ｐを備え、負イオン発生部３２Ｎは負放電電極３３Ｎを備えている。二対の正放電電極３３Ｐ及び負放電電極３３Ｎは各々針状に形成されて所定の間隔で並べて配置され、開口部を介して送風通路２０に臨んでいる。
【００３７】
正イオン発生部３２Ｐ及び負イオン発生部３２Ｎはともに同じ構造に形成される。各々の正放電電極３３Ｐ、負放電電極３３Ｎに高圧電気発生回路で生成された高電圧が供給されて放電を発生させ、イオンを放出する。
【００３８】
正放電電極３３Ｐ、負放電電極３３Ｎには交流波形またはインパルス波形から成る電圧が印加される。正放電電極３３Ｐには正電圧が印加され、コロナ放電による水素イオンが空気中の水分と結合して主としてＨ+（Ｈ2Ｏ）ｍから成る正イオンを発生する。
【００３９】
負放電電極３３Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００４０】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、イオン発生装置３０は送風通路２０内に正イオン及び負イオンを放出し、吹出口５から正イオン及び負イオンが送出される。これにより、例えば室内の殺菌や脱臭を行うことができる。
【００４１】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４２】
尚、本実施形態ではイオン発生装置３０によって正イオン及び負イオンを発生しているが、正イオンのみまたは負イオンのみを発生してもよい。
【００４３】
また、イオン発生装置３０が帯電微粒子水から成るイオンを発生する静電霧化装置であってもよい。静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００４４】
上記構成の送風装置１において、操作部６の操作により送風ファン７及びイオン発生装置３０が駆動される。これにより、室内の空気が本体筐体２の下部の吸込口４から送風通路２０内に流入する。送風通路２０内に流入した空気にはイオン発生装置３０で発生したイオンが含まれる。
【００４５】
イオンを含む気流は複数の分割通路２２に分割されて流通する。遠心ファンから成る送風ファン７の遠心力によって気流は送風通路２０の外周方向に導かれる。この時、送風通路２０の入口部２３から各分割通路２２に気流が均一に分散し、気流の偏りが防止される。そして、各分割通路２２を流通する気流が吹出口５から風向板２５に応じた方向に均一に送出される。これにより、イオンを含む気流が室内に拡散して室内の殺菌等を行うことができる。
【００４６】
また、イオン発生装置３０を停止して送風ファン７を駆動すると、使用者に向けて送風を行うとともに室内の空気を循環させることができる。
【００４７】
外カバー２ａ、２ｂ及び内カバー１０が取り外されると、分割通路２２を含む送風通路２０内を清掃することができる。これにより、送風装置１の送風効率の低下を防止し、吹出口５から送出される気流を清潔に維持することができる。送風通路２０の清掃が完了すると、マーキング部１１を仕切板２１に重ねるように内カバー１０が装着される。これにより、使用者が内カバー１０の装着方向を容易に判別し、内カバー１０を簡単に取り付けることができる。
【００４８】
本実施形態によると、着脱可能な外カバー２ａ、２ｂにより外面を形成した本体筐体２の内部に仕切板２１で分割される分割通路２２を有した送風通路２０が設けられる。また、分割通路２２を覆う着脱可能な内カバー１０が仕切板２１に沿ったマーキング部１１を外面に有する。これにより、外カバー２ａ、２ｂ及び内カバー１０を取り外して分割通路２１を含む送風通路２２内の清掃を行うことができる。従って、送風装置１の送風効率の低下を防止するとともに送出される気流を清潔に維持することができる。また、送風通路２０の清掃後にマーキング部１１を仕切板２１に重ねて内カバー１０を容易に装着することができ、送風装置１の利便性を向上することができる。
【００４９】
また、吸込口４を本体筐体２の下部に設けて吹出口５を本体筐体２の上部前面に設け、仕切板２１の下部が上下方向に延びて上部が吹出口５に向かって湾曲する。これにより、仕切板２１に沿って形成されるマーキング部１１が前方に向かって湾曲し、内カバー１０の装着方向を容易に識別することができる。
【００５０】
また、仕切板２１に嵌合する嵌合溝１０ａの背面が内カバー１０の外面に突出してマーキング部１１が形成されるので、内カバー１０の成形加工によって容易にマーキング部１１を形成することができる。
【００５１】
また、マーキング部１１が嵌合溝１０ａの側壁を延設して嵌合溝１０ａの背面から突出するリブ１０ｃを有するので、マーキング部１１をより明瞭に視認することができる。
【００５２】
また、外側に凸の曲面に形成される外カバー２ａの内面から突出して仕切板２１に交差する方向に延びる補強リブ２ｃが設けられ、外カバー２ａの装着時に補強リブ２ｃがマーキング部１１のリブ１０ｃに当接する。これにより、外カバー２ａが外側から加圧された際に、外カバー２ａの変形を防止することができる。
【００５３】
また、分割通路２２が内カバー１０によって上流に対して下流の流路面積が絞られ、上流部に面したマーキング部１１が嵌合溝１０ａの両側壁を延設して内カバー１０の外面に凹設される溝部１０ｂによって形成される。これにより、マーキング部１１を容易に形成できるとともに、吹出口５から送出される気流の風速が大きくなるため気流が室内に行き届く。
【００５４】
また、送風ファン７よりも下流側の送風通路２０に向けてイオンを放出するイオン発生装置３０を備えたので、吹出口５からイオンを送出して室内の殺菌等を行うことができる。この時、分割通路２２によって吹出口５から均一にイオンを送出することができるとともに、風向板２５の可撓部２５ａによって圧力損失を低減することができる。
【００５５】
また、送風ファン７が遠心ファンから成るので、遠心ファンの遠心力によって気流が送風通路２０の上壁の方向に導かれる。この時、分割通路２２によって気流の偏りが防止され、吹出口５から均一に気流を送出することができる。
【００５６】
本実施形態において、マーキング部１１が嵌合溝１０ａの背面、リブ１０ｃ及び溝部１０ｂにより形成されるが、内カバー１０の外面に印刷を施してマーキング部１１を形成してもよい。
【産業上の利用可能性】
【００５７】
本発明によると、本体筐体内に送風通路を備えた送風装置に利用することができる。
【符号の説明】
【００５８】
１    送風装置
２    本体筐体
２ａ、２ｂ  外カバー
２ｃ  補強リブ
３    台座部
４    吸込口
５    吹出口
６    操作部
７    送風ファン
１０    内カバー
１０ａ  嵌合溝
１０ｂ  溝部
１０ｃ  リブ
１１    マーキング部
２０    送風通路
２１    仕切板
２２    分割通路
２５    風向板
２７    ガイド溝
３０    イオン発生装置
【図１】
0005931550.tif 000002
【図２】
0005931550.tif 000003
【図３】
0005931550.tif 000004
【図４】
0005931550.tif 000005
【図５】
0005931550.tif 000006
【図６】
0005931550.tif 000007